(57)【特許請求の範囲】
【請求項１】
表示画面にタッチセンサを備え、該画面上でのタッチ操作により画面表示の操作が可能な情報表示装置において、前記画面を縦横各々分割するとともに、前記画面に表示される画像の分割画像と同じ大きさの分割画像を表示するサブ画面領域を設定し、ユーザ操作により指定された分割画像を前記サブ画面領域に表示し、前記指定された分割画像の表示を他の分割領域の表示とは異なるように表示するとともに、前記サブ画面領域におけるタッチ操作位置を前記表示画面上の位置に変換することにより、前記サブ画面領域におけるタッチ操作を前記表示画面における画面表示の操作に置き換えて、リモート操作可能としたことを特徴とする情報表示装置。
【請求項２】
請求項１に記載の情報表示装置において、前記サブ画面領域の位置は予め設定可能であることを特徴とする情報表示装置。
【請求項３】
請求項２に記載の情報表示装置において、前記サブ画面領域は、前記表示画面のタッチ位置から近い方の左右いずれかの隅に設定されることを特徴とする情報表示装置。
【請求項４】
請求項２に記載の情報表示装置において、前記サブ画面領域は、情報表示装置を操作する入力部の近傍に設定されることを特徴とする情報表示装置。
【請求項５】
請求項１乃至４のいずれかに記載の情報表示装置において、前記サブ画面領域におけるドラッグ操作が該サブ画面領域のいずれかの辺を越えた場合、前記表示画面上では当該辺に対応する分割領域の辺を越さない位置に変換することを特徴とする情報表示装置。
【請求項６】
請求項１乃至５のいずれかに記載の情報表示装置において、前記サブ画面に対応する分割領域を任意に選択可能としたことを特徴とする情報表示装置。
【請求項７】
請求項１乃至６のいずれかに記載の情報表示装置において、前記サブ画面領域を移動可能としたことを特徴とする情報表示装置。
【発明の詳細な説明】
【技術分野】
【０００１】
本発明は、情報表示装置に関し、特にタッチ入力が可能な大型表示画面を利用して情報表示する技術に関するものである。
【背景技術】
【０００２】
従来、ホワイトボードには、マジックなどの筆記手段によりホワイトボード上に書き込まれた議事内容（イメージ情報）を光学的に走査して、得られたイメージ情報を感熱紙に印刷する印刷手段が備えられており、前記印刷手段を用いて、会議終了後にホワイトボード上に書き込まれた議事内容（イメージ情報）を感熱紙に印刷し、さらに会議参加者への配布のためにそのコピーを配布したりしている。
【０００３】
また、従来のホワイトボードを利用した会議においては、印刷された議事内容を、会議終了後、新たにワードプロセッサなどを用いて電子化する作業が必要な場合がある。
特許文献１には、直接入力手段（例えば、タッチペン）を用いて大型ディスプレイ上に議事内容を自由な書式で直接的に書き込み、これらの議事内容を全て電子化することにより、会議終了後の文書管理、参加者への配布、そして内容の加工などが簡単に実行する電子会議システムが提案されている。
【０００４】
また、特許文献２では、メインディスプレイの大画面または小画面に表示されている画像にペン入力を行うと、メインディスプレイの小画面または小画面あるいはサブディスプレイに表示されている画像にも同じ内容が入力されるという画像表示システムが提供されている。
【特許文献１】特開２０００−５６７４７号公報
【特許文献２】特開２００２−１９６７３９号公報
【発明の開示】
【発明が解決しようとする課題】
【０００５】
上記のような電子会議システムでは、ある程度の広さのある会議室での使用が想定されており、高さは人の手の届く範囲で、幅も人の移動距離が障害にならないものである。
しかし、液晶ディスプレイ等の表示装置の大型化が進んでおり、大学の講義室や国際会議場のような広い場所に大型化された表示装置が設置された場合、上部に手が届かないとか、端まで行って書いたり、操作するのに労力を要するということが発生してきている。
【０００６】
これに対して、上記の特許文献１や２では、手の届く範囲外の上部や端部へ入力する手段や、困難である場所への入力する手段を提供するものではない。
【０００７】
本発明は、上述のような実情を考慮してなされたものであって、大型表示画面を有する情報表示装置において、ユーザの操作位置から離れた位置への入力・編集を容易にする情報表示装置を提供することを目的とする。
【課題を解決するための手段】
【０００８】
上記の課題を解決するために、本発明の情報表示装置は、  表示画面にタッチセンサを備え、該画面上でのタッチ操作により画面表示の操作が可能な情報表示装置において、前記画面を縦横各々分割するとともに、前記画面に表示される画像の分割画像と同じ大きさの分割画像を表示するサブ画面領域を設定し、ユーザ操作により指定された分割画像を前記サブ画面領域に表示し、前記指定された分割画像の表示を他の分割領域の表示とは異なるように表示するとともに、前記サブ画面領域におけるタッチ操作位置を前記表示画面上の位置に変換することにより、前記サブ画面領域におけるタッチ操作を前記表示画面における画面表示の操作に置き換えて、リモート操作可能としたものである。
【０００９】
前記サブ画面領域の位置は、予め設定可能であり、前記表示画面のタッチ位置から近い方の左右いずれかの隅や情報表示装置を操作する入力部の近傍に設定される。
また、同じ分割数の場合には、任意の分割領域を選択できるため、入力・編集の操作性が向上する。
【００１１】
また、サブ画面においてドラッグ操作を行った場合、前記サブ画面領域のいずれかの辺を越えたときには、前記表示画面上では当該辺に対応する分割領域の辺を越さない位置に変換するようにして、サブ画面と表示画面における操作を同じものとした。
また、前記サブ画面領域を移動可能とすることにより、ユーザがどのような位置にいるときでも入力・編集ができるので操作性が向上する。
【発明の効果】
【００１２】
本発明によれば、大型表示画面を有する情報表示装置において、ユーザの操作位置から離れた位置への入力・編集が容易になる。
【発明を実施するための最良の形態】
【００１３】
以下、図面を参照して本発明に係る実施形態について説明する。
【００１４】
＜実施形態１＞
本実施形態１では、インタラクティブ・ホワイトボード機能を有する大型表示画面の情報表示装置を例にして説明する。この情報表示装置は、コンピュータのデスクトップを表示する２次元表面型のデバイスであり、インタラクティブ・ホワイトボード機能では、
（１）ユーザがその表面上に行った文字や図の書き込みや表示された対象（例えば、表示されたウィンドウ、文字、図や画像等）の編集操作をコンピュータに入力する編集可モード、
（２）もともと表示されているデータをそのまま表示させ、その上の書き込みなどをコンピュータに入力する編集不可モード、および、
（３）コンピュータの表示デバイスとして使用するボードＯＦＦモード
を備えており、電子黒板としての利用も可能であるが、より汎用的な対話型コンピュータスクリーンとして使用可能なものである。
このインタラクティブ・ホワイトボード機能による利用場面としては、学校、ビジネスでのプレゼンテーション、共同作業などが考えられる。
【００１５】
本実施形態１の表示画面は、縦長の表示画面を用いて説明するが、縦長のものであっても、横長のものであっても構わない。
図１に示すように、表示画面の全体領域は、表示画面領域と、システム領域とから構成され、それぞれの領域は、左下隅を原点、右水平方向をＸ軸の正方向、垂直上方向をＹ軸の正方向とみなしたＸＹ座標系で表されるものとする。
ここで、表示画面領域は、横のサイズＬｘ、縦のサイズＬｙであるものとする。このサイズの単位は、画素単位であっても、ｍ単位であっても構わない。
【００１６】
システム領域は、制御プログラムやアプリケーションプログラム等が使う入力モード選択、編集モードやそれらのパラメータの入力等の操作メニューや電源ＯＮ・ＯＦＦ等の操作指示に使われる領域であり、表示画面の右下隅に表示されるものとする。しかし、システム領域を設けずに、情報表示装置の画面外にボタン等を設けて操作するようにしても構わない。また、システム領域自体も必要に応じて表示画面領域中に表示させるようにしても構わない。
【００１７】
次に、本実施形態１の表示画面の操作概要について説明する。
例えば、図２（Ａ）のように、表示画面領域の上方に図形Ａ１が表示されており、図形の近傍の位置Ａ２に図形Ａ１の説明やその他の図形を追加する場合であって、ユーザの持つ指示手段（例えば、電子ペン、指や棒等）では、この位置Ａ２に届かない場合について考える。
【００１８】
ユーザは、図２（Ｂ）のように表示画面の分割を指示する。この例では、横方向を３分割、縦方向を４分割している。
ユーザは、分割された領域の中から位置Ａ２を含む分割領域を指示すると、図２（Ｃ）のように、この分割領域に対応するサブ画面を表示画面上の設定した位置に表示する。
【００１９】
このサブ画面は、表示画面の一部分を取り出した画面であり、サブ画面で行った入力・編集はすべて表示画面へ反映されるようになっている。さらに、表示画面の方が編集可モードあるいは編集不可モードになっている場合には、サブ画面も同じモードで入力・編集が行われる。
したがって、サブ画面上の位置Ａ２における入力・編集は、表示画面上の位置Ａ２における入力・編集と同じである。
例えば、サブ画面において、位置Ａ２に「この図形」と書き込むと（図２（Ｄ））、表示画面の位置Ａ２にも「この図形」と書き込まれる（図２（Ｅ））。
このように、表示画面のユーザが手の届かない領域に対しても、その領域をサブ画面として扱うことにより、表示画面をリモートで入力・編集することができる。
【００２０】
次に、情報表示装置のハードウェア構成について説明する。
図３は、情報表示装置のハードウェア構成を表すブロック図であり、同図において、情報表示装置１０は、画像表示部１１、タッチセンサ１２、主制御部１３、記憶部１４とからなっている。この情報表示装置１０では、画像表示部１１とタッチセンサ１２とからなる表示装置と、主制御部１３、記憶部１４とからなる情報処理装置とを一体型の装置で構成するものとして説明するが、これらの装置を別々の装置で構成しても構わない。
【００２１】
記憶部１４は、例えば、ＲＡＭ（Random Access Memory）やＲＯＭ（Read Only Memory）、ＨＤＤ（Hard Disk Drive）などで構成され、主制御部１３で実行される制御プログラム、各種アプリケーションプログラム、これらのプログラムによって使用されるデータを格納したり、これらのプログラムの実行途中で一時的に発生するデータを格納するバッファとしても使用する。例えば、アプリケーションプログラムとしては、電子黒板システムがある。
【００２２】
画像表示部１１は、大型表示画面を有する液晶ディスプレイ等で構成され、制御プログラムや各種アプリケーションプログラムによって実行された結果の画像データを大型表示画面に表示する。
【００２３】
入力部２０は、表面画面の位置（座標）を指示可能な指示手段（ポインティングデバイス）である。この指示手段は、例えば、人間の指、鉛筆、電子ペンや棒等が考えられる。
【００２４】
タッチセンサ１２は、画像表示部１１の表示画面上に設けられ、例えば、赤外線センサや感圧あるいは静電容量の変化により、入力部２０の接触位置と接触状況とからなる位置情報を主制御部１３へ送信する。
ここで、接触状況とは、「接触状態」または「非接触状態」のことを言う。「接触状態」は、入力部２０が表示画面へ接触したままの状態のことであり、「非接触状態」は、１度接触したクリック、２度接触したダブルクリック、あるいは、接触状態から入力部２０を離した状態のことを言う。
【００２５】
接触位置とは、入力部２０が表示画面に接触したときの座標か、あるいは、非接触となったときの座標のことを言い、表示画面の座標系で表される。
また、タッチセンサ１２は、入力部２０が接触したままとなった場合には、所定の間隔で接触状況を監視し、接触位置と接触状況とからなる位置情報を逐次主制御部１３へ送信する。
【００２６】
主制御部１３は、例えば、ＣＰＵ（中央処理ユニット）等で構成され、記憶部１４に記憶された制御プログラムや各種アプリケーションプログラムを実行することによって、当該装置１０の全体を制御する。
この制御プログラムは、当該装置の全体を制御するプログラムであり、該制御プログラムあるいはアプリケーションプログラムで指示された描画命令や描画結果を表示画面およびサブ画面へ出力する画像出力部も含まれている。
【００２７】
次に、本実施形態１に係る情報表示装置の機能構成について、図４のブロック図に基づいて説明する。同図において、情報表示装置の機能は、制御部３１、サブ画面設定部３２、位置情報変換部３３、画像出力部３４を含んで構成されている。また、これらを動作させるために、画面管理テーブル３５を必要とする。
【００２８】
制御部３１は、制御プログラムの一部として構成され、ここでは、サブ画面設定部３２、位置情報変換部３３、画像出力部３４を制御するとともに、アプリケーションプログラムの実行管理を行うものである。
【００２９】
まず、表示画面とサブ画面を管理するための画面管理テーブル３５について説明する。この画面管理テーブル３５は、記憶部１４に記録されており、図５に例示したようなデータ項目がある。
【００３０】
画面区分：表示画面またはサブ画面のいずれかを示す区分データを記憶する。
表示位置：画面区分で区分される画面の左下方隅の位置を表す座標を記憶する。表示画面の場合は、表示装置の原点に固定されるが、サブ画面の場合は既定値またはユーザによる設定により可変である。
画面の大きさ：画面区分で区分される画面の大きさを幅と高さで記憶する。ここでは、表示画面の場合は幅Ｌｘ、高さＬｙとし、サブ画面の場合は、表示画面を分割した際の１分割画面領域と同じ大きさとし、幅ｌｘ、高さｌｙとする。
分割情報：画面区分が表示画面の場合は、横方向の分割数（Ｄｘ）と縦方向の分割数（Ｄｙ）を記憶し、サブ画面が存在しないときには、クリアされている。画面区分がサブ画面の場合は、ユーザが指定した入力・編集の対象となる分割領域を識別するＩＤを記憶する。
【００３１】
上記の分割領域ＩＤは、図６に例示するように、まず、Ｙ座標値を原点とし、Ｘ座標値の小さい領域から大きい領域へ向かい１から順番に割り当てられ、Ｘ方向の分割領域がすべて割り当てられると、既に割り当てられた分割領域よりＹ座標値が大きい分割領域について、同じように順番に割り当てる。そして、すべての分割領域にＩＤが割り振られるまで繰り返す。
【００３２】
さて、画像出力部３４は、制御プログラムやアプリケーションプログラムから指令された描画命令を実行することによって、表示画面用の画像データを生成して、記憶部１４に確保されているメインバッファメモリへ出力する。
次に、画像出力部３４は、メインバッファメモリに記憶されている画像データから、分割領域ＩＤに対応する表示画面の分割領域の画像データを取り出して、サブ画面用の画像データとして記憶部１４に確保されているサブバッファメモリへ生成する。
ここで、サブ画面に対応する表示画面上の分割領域は、他の分割領域とは異なるように、例えば、色や陰影を付けて表示するが、サブ画面では他の分割領域と異ならせても、あるいは、同じであっても構わない。
【００３３】
そして、画像出力部３４は、サブ画面が表示される表示位置に、メインバッファメモリに記憶されている表示画面の画像データに、サブバッファメモリに生成されたサブ画面の画像データを上書き合成して、記憶部１４に確保されている画像メモリへ書き出す。
このようにして、画像出力部３４は、画像メモリが書き換わると、書き換わった画像メモリの内容を画像表示部１１へ送って、大型表示画面に表示画面およびサブ画面の画像を表示させる。
【００３４】
次に、サブ画面の使用法について説明する。
ユーザは、入力・編集したい対象が直接入力部２０で操作可能であるかによって、表示画面に対して直接入力・編集を行う通常モードと、サブ画面から入力・編集を行うサブ画面モードのいずれかを選択する。これは、図７に例示するように、システム領域に設定されている入力モード選択における「通常モード」または「サブ画面モード」のいずれかのボタンを入力部２０でクリックすることによって、画面管理テーブル３５は、いずれかのモードに設定される。
【００３５】
ここで、ユーザが「通常モード」をクリックすると、制御部３１は、タッチセンサ１２から受け取った位置情報（接触状況、接触位置）から、入力モード選択の「通常モード」ボタンをクリックしたと判断すると、サブ画面設定部３２を起動して「通常モード」設定情報を渡す。
【００３６】
サブ画面設定部３２は、制御部３１から「通常モード」設定情報を受け取ると、画面管理テーブル３５における表示画面に対する分割情報をクリアし、さらに、サブ画面に対する表示位置、画面の大きさ、分割情報をクリアして、サブ画面の表示を削除するように画像出力部３４に指示して、実行を終了する。
【００３７】
また、ユーザがサブ画面モードにしたいときには、横の分割数および縦の分割数を選択してから、「サブ画面モード」ボタンを入力部２０でクリックする（図７）。
ここで、横の分割数および縦の分割数を選択するときには、それぞれの分割可能数が予め用意されており、分割数の選択値を表示させるボタンをクリックする。この表示された選択値の中から所望の分割数をクリックして選択する。また、横と縦の分割数を同じにしたいときには、上記の横の分割数または縦の分割数のいずれかを選択すると共に、「横縦を同じ分割数とする。」のラジオボタンをクリックして選択する。
【００３８】
制御部３１が入力モード選択の「サブ画面モード」ボタンをクリックしたと判断すると、サブ画面設定部３２を起動して、「サブ画面モード」、横分割数（Ｄｘ）、縦分割数（Ｄｙ）および同じ分割数にするか否かのフラグの設定情報を渡す。
【００３９】
サブ画面設定部３２は、制御部３１から「サブ画面モード」の設定情報を受け取ると、横分割数（Ｄｘ）、縦分割数（Ｄｙ）および同じ分割数にするか否かのフラグを調べることによって、横分割数（Ｄｘ）および縦分割数（Ｄｙ）を決定し、画面管理テーブル３５の表示画面に対する分割情報に設定する。
【００４０】
次に、サブ画面設定部３２は、表示画面の大きさと分割情報とから、サブ画面の大きさを、例えば、次のように算出し、画面管理テーブル３５のサブ画面の大きさに設定する。
サブ画面の幅（ｌｘ）＝表示画面の幅（Ｌｘ）／表示画面の横分割数（Ｄｘ）
サブ画面の高さ（ｌｙ）＝表示画面の高さ（Ｌｙ）／表示画面の縦分割数（Ｄｙ）
また、サブ画面の表示位置は、システム領域および表示画面の下辺に隣接し、上記の大きさのサブ画面が表示できる位置を算出して、画面管理テーブル３５のサブ画面に対する表示位置に設定する。
【００４１】
ここで、サブ画面に対する表示位置は、予め設定された既定値（表示画面の右下隅、システム領域の近傍）とするが、これに限定されるものではなく、既定値をユーザが設定しても、表示画面の中央下、左下隅としても良いし、また、ユーザにタッチさせてその位置や、タッチした位置に近い表示画面の右下隅、中央下、左下隅のいずれかとしてもよい。
【００４２】
さらに、サブ画面設定部３２は、次のようにして、サブ画面で入力・編集する分割領域ＩＤを取得する。
まず、サブ画面設定部３２は、設定された横縦の分割数で分割線を付加した表示画面を生成し、画像出力部３４により、この表示画面の全体画像をサブ画面の大きさに縮小して、表示画面とサブ画面を合成して画像表示部１１に表示させる。
これにより、表示画面に表示された画像に分割線が追加された画像が表示画面とサブ画面に表示される。
【００４３】
次に、ユーザは、表示画面の中から入力・編集したい分割領域を選択して、この分割領域に対応するサブ画面の位置を入力部２０によってクリックする。
サブ画面設定部３２は、入力部２０がクリックした位置情報をタッチセンサ１２から受け取り、サブ画面の表示位置、サブ画面の大きさ、横縦の分割数とを基に、ユーザが入力・編集したい分割領域を決定し、この分割領域に対応する分割領域ＩＤを画面管理テーブル３５のサブ画面に対する分割情報として設定する。
【００４４】
次に、サブ画面設定部３２は、選択された分割領域の表示を他の分割領域の表示と異ならせた表示画面の画像データを生成する。ここで、異なる表示としては、色を変えたり、陰影を付けたりすることが考えられる。
そして、サブ画面設定部３２は、画像出力部３４により、選択された分割領域に対応する表示画面上の画像をサブ画面に表示させてから、実行を終了する。
以降、サブ画面上で入力・編集した内容は、表示画面になされたものとみなされる。
【００４５】
上記のサブ画面の設定のときに、システム領域から選択されるようにした例を使って説明したが、これに限定されることなく、「サブ画面モード」ボタンをクリックしたときに、横縦の分割数を直接入力し、その入力された分割数が表示装置の分割可能数内であるかどうかを判断して、分割数を決定するものとしてもよい。
【００４６】
次に、制御部３１は、タッチセンサ１２から受け取った位置情報が、システム領域以外の表示画面またはサブ画面のときには、位置情報変換部３３を起動して位置情報を渡す。
位置情報変換部３３は、タッチセンサ１２から送られてきた位置情報を受け取り、後述する方法で、接触位置の座標を表示画面の座標系に変換し、変換した座標と接触状況とを制御部３１に送る。
【００４７】
制御部３１は、位置情報変換部３３から送られてきた入力部２０の接触状況および変換された表示画面上の接触位置の座標を、動作中のプログラムへ送る。
【００４８】
これにより、プログラムでは、表示画面を入力部２０によってタッチした場合でも、また、サブ画面をタッチした場合でも、常に表示画面上の座標として与えられるため、ユーザがいずれの画面で入力・編集を行っても同じ結果が得られることになる。
【００４９】
次に、タッチセンサ１２で取得した接触位置を表示画面の座標系に変換する処理を図８のフローチャートを用いて説明する。
以下、サブ画面の表示位置である原点を（ｘ０，ｙ０）とし、接触位置の座標を（ｘ，ｙ）とし、サブ画面に対応する分割領域の原点を（ｘ１，ｙ１）とし、変換された表示画面上の接触位置の座標を（Ｘ，Ｙ）として説明する。
【００５０】
画面管理テーブル３５のサブ画面の「表示位置」と「表示の大きさ」とで表されるサブ画面の領域内に接触位置（ｘ，ｙ）があるかを調べる（ステップＳ１）。
【００５１】
サブ画面の領域内に接触位置（ｘ，ｙ）があれば（ステップＳ１／ＹＥＳ）、次の式により接触位置（ｘ，ｙ）を表示画面上の座標（Ｘ，Ｙ）に変換し、変換した座標（Ｘ，Ｙ）を出力して処理を終了する（ステップＳ２）。
【００５２】
Ｘ＝ｘ１＋（ｘ−ｘ０）
Ｙ＝ｙ１＋（ｙ−ｙ０）
【００５３】
一方、サブ画面の領域内に接触位置（ｘ，ｙ）がなければ（ステップＳ１／ＮＯ）、接触位置（ｘ，ｙ）をそのまま表示画面上の座標（Ｘ，Ｙ）として、出力して処理を終了する（ステップＳ３）。
【００５４】
しかし、入力部２０の接触位置がサブ画面の領域内にあったときに、入力部２０を接触したままサブ画面の領域の外に動かした場合、上記の計算では指定された分割領域外へ出てしまい、サブ画面での操作と表示画面の操作とが一致しなくなる。
このために、上記ステップＳ２の変換では、サブ画面領域外へ出るようなｘやｙの座標値に対しては、次のような変換を行って、サブ画面領域外へ出るような変換を防ぐことにする。
【００５５】
（１）ｘ＜ｘ０の場合：
Ｘ＝ｘ１
（２）ｘ＞（ｘ０＋ｌｘ）の場合：
Ｘ＝ｘ１＋ｌｘ
（３）ｙ＜ｙ０の場合：
Ｙ＝ｙ１
（４）ｙ＞（ｙ１＋ｌｙ）の場合：
Ｙ＝ｙ１＋ｌｙ
【００５６】
以上のような構成により、ユーザの操作位置から離れた位置への入力・編集が容易になる。
【００５７】
＜実施形態２＞
上述の実施形態１では、サブ画面はユーザが指定した後に、同じ分割画面領域に対して入力・編集するものとして説明した。しかし、他の分割領域について入力・編集したいときに、一々、サブ画面モードの入力指示からやり直すのは面倒である。
また、サブ画面の表示位置を移動したい場合も出てくる。
【００５８】
そこで、実施形態２は、既に表示画面が分割されていたときに、ユーザによって任意に他の入力・編集を行う分割領域に変更することができ、さらに、サブ画面の表示位置を移動することができるようにしたものである。
【００５９】
図９は、本実施形態２に係る情報表示装置の機能構成を示すブロック図である。同図において、情報表示装置の機能は、制御部３１、サブ画面設定部３２、位置情報変換部３３、画像出力部３４、表示位置移動部３６を含んで構成されている。また、これらを動作させるために、画面管理テーブル３５を必要とする。ここで、表示位置移動部３６は、必須の構成要素ではなく、必要に応じて適宜選択されるものである。
また、実施形態１と同じ機能構成要素については、同じ符号を付して、その説明は変更や追加についてのみ説明する。
【００６０】
ユーザは、サブ画面モードで、入力・編集の対象となっている分割領域の指定を変更する場合には、システム領域内に設けられた入力モード選択において、「指定分割領域変更」ボタンを入力部２０でクリックする（図１０）。
【００６１】
制御部３１は、サブ画面モードのときであって、タッチセンサ１２から受け取った位置情報（接触状況、接触位置）から、入力モード選択の「指定分割領域変更」ボタンをクリックしたと判断すると、サブ画面設定部３２を起動して「指定分割領域変更」設定情報を渡す。
サブ画面設定部３２は、制御部３１から起動され、「指定分割領域変更」設定情報を受け取ると、画像出力部３４により、横縦の分割数で分割線が付加された表示画面の全体画像をサブ画面の大きさに縮小して、表示画面とサブ画面を合成して画像表示部１１に表示させる。
【００６２】
次に、ユーザは、表示画面の中から入力・編集したい分割領域を選択して、この分割領域に対応するサブ画面の位置を入力部２０によってクリックする。
サブ画面設定部３２は、入力部２０がクリックした位置情報をタッチセンサ１２から受け取り、サブ画面の表示位置、サブ画面の大きさ、横縦の分割数とを基に、ユーザが入力・編集したい分割領域を決定し、この分割領域に対応する分割領域ＩＤを画面管理テーブル３５のサブ画面に対応する分割情報の設定を更新する。
【００６３】
次に、サブ画面設定部３２は、変更選択された分割領域の表示を他の分割領域の表示と異ならせた表示画面の画像データを生成し、画像出力部３４により、変更選択された分割領域の画像データをサブ画面に表示させてから、実行を終了する。
以降、サブ画面上で入力・編集した内容は、変更選択された分割領域の表示画面になされたものとみなされる。
【００６４】
表示位置移動部３６は、画面管理テーブル３５のサブ画面の表示位置の変更を次のようにして設定する。
ユーザは、入力部２０によりサブ画面のいずれかの辺を掴んで所望の位置までドラッグして、掴んだ辺を開放する。
制御部３１は、ドラッグを開始した時の位置情報（接触状況、接触位置）から、サブ画面の４辺のうちのいずれかが掴まれたと判断すると、表示位置移動部３６を起動する。
表示位置移動部３６は、起動されると、サブ画面の掴んだ辺が放されたことを検出するまで、タッチセンサ１２から送信される位置情報を得る。この間、表示位置移動部３６は、ドラッグされるサブ画面の輪郭を移動表示する。
そして、表示位置移動部３６は、サブ画面の掴んだ辺が放されたことを検出すると、現在表示されているサブ画面の左下隅の座標を画面管理テーブル３５のサブ画面に対する「表示位置」に設定し、そのサブ画面へ指定されている分割領域の内容をサブ画面に再表示して実行を終了する。
【００６５】
以上のような構成により、ユーザの操作位置から離れた位置への入力・編集が容易になる。さらに、事前に選択し適応した横縦の分割数と同じ分割数を引き続き適用する場合には、入力・編集の対象となる分割領域だけを選択するだけでよいため、一々、分割数を入力することが無くなり操作性が向上する。
【００６６】
尚、本発明は上述した実施形態に限定されず、本発明の要旨を逸脱しない範囲内で各種の変形、修正が可能であるのは勿論である。
【図面の簡単な説明】
【００６７】
【図１】表示画面および座標軸を説明する図である。
【図２】大型表示画面の操作概要を説明する図である。
【図３】情報表示装置のハードウェア構成を表すブロック図である。
【図４】実施形態１に係る情報表示装置の機能構成を表すブロック図である。
【図５】実施形態１における画面管理テーブルのデータ構造例である。
【図６】分割領域ＩＤの設定順を説明する図である。
【図７】入力モード選定のためのメニュー例である。
【図８】接触位置を表示画面の座標系に変換する処理を説明するフローチャートである。
【図９】実施形態２に係る情報表示装置の機能構成を表すブロック図である。
【図１０】入力モード選定のためのメニュー例である。
【符号の説明】
【００６８】
１０…情報表示装置、１１…画像表示部、１２…タッチセンサ、１３…主制御部、１４…記憶部、２０…入力部、３１…制御部、３２…サブ画面設定部、３３…位置情報変換部、３４…画像出力部、３５…画面管理テーブル、３６…表示位置移動部。
【図１】
0004389090.tif 000002
【図２】
0004389090.tif 000003
【図３】
0004389090.tif 000004
【図４】
0004389090.tif 000005
【図５】
0004389090.tif 000006
【図６】
0004389090.tif 000007
【図７】
0004389090.tif 000008
【図８】
0004389090.tif 000009
【図９】
0004389090.tif 000010
【図１０】
0004389090.tif 000011